(57)【要約】【課題】  通常は手の届かない引込戸の収納部の内側を掃除できるようにして、メンテナンスを容易にし、長期的にスムーズな開閉を維持する。【解決手段】  スライドレール４３に沿って走行する戸体２が、壁内部または戸袋状の収納部４４に引き込まれる引込戸１は、戸体２の下部に引込み方向の奥側と手前側とを連通する吸引経路３が設けられ、先端側がスライドレール４３に面して開口し、後端側が掃除機の吸引ホース３１を接続可能となされたことを特徴とする。また、吸引経路３の先端側にはスライドレール４３上面を摺動する吸引ノズル３２が接続されて、収納部４４の内側を容易に掃除できるようになされている。【選択図】  図２
2006342610.tif 000002
【特許請求の範囲】
【請求項１】
スライドレールに沿って走行する戸体が、壁の内部または戸袋状の収納部に引き込まれる引込戸において、
戸体の下部に、引込み方向の奥側と手前側とを連通する吸引経路が設けられ、先端側がスライドレールに面して開口し、後端側が掃除機の吸引ホースを接続可能となされたことを特徴とする引込戸。
【請求項２】
吸引経路の先端側にはスライドレール上面を摺動する吸引ノズルが接続されたことを特徴とする請求項１に記載の引込戸。
【請求項３】
吸引経路の先端側は戸体の奥側の見込面に開口して設けられ、見込面の外側に吸引ノズルが配設されたことを特徴とする請求項２に記載の引込戸。
【請求項４】
吸引経路の後端側は戸体の手前側の見付面に開口して設けられたことを特徴とする請求項２に記載の引込戸。
【請求項５】
戸体は四周に框が配設されており、戸体を収納部から引出して閉鎖したときに出会う引込口の側部と戸体の縦框とに、互いに係合して気密を保持する気密部材が高さ方向に配設されたことを特徴とする請求項１〜４のいずれかに記載の引込戸。
【発明の詳細な説明】
【技術分野】
【０００１】
本発明は、出入口に設けられて収納部に引込み可能な引込戸に関し、特に収納部の内側を容易に掃除しうる引込戸に関する。
【背景技術】
【０００２】
従来から、建物の出入口などに設けられている引戸のうち、開閉形式が引込み式の建具には、開口部の片側または両側に戸袋が設けられることで、その内側に引戸を引き込むことができるようになされている。このような引戸としては、例えば、特許文献１、２等に記載されているような構造が知られている。
【０００３】
この種の引戸は、鴨居と敷居に案内されるとともに敷居溝に戸車を走行させて戸体をスライドさせ、壁内部の収納部や側部の戸袋に戸体を引き込んで収納できるように構成されている。これにより、開口部全体を開放することができ、開放時に戸体が邪魔にならないという利点がある。
【特許文献１】特開平４−１４０１３３号公報
【特許文献２】特開平１０−１８４１７０号公報
【発明の開示】
【発明が解決しようとする課題】
【０００４】
上記のような戸袋を備えた引戸は、長期間使用するうちに戸袋内に埃やゴミがたまってしまうものである。しかし、収納部や戸袋は、戸体とほぼ同寸または戸体よりやや大きい程度の寸法で形成されているのが一般的であり、戸体を開口部から取り外しても内側には手が届きにくく、箒や掃除機などの掃除用具も入りにくいため、埃やゴミを取り除くことが難しい。また、敷居上にたまったゴミや埃は、戸体の開閉に伴って戸袋の奥へと押し込まれてしまったり、戸車に巻き付いて戸体を走行させにくくなったりして、開閉にも支障が出るおそれもあった。
【０００５】
そこで本発明は、上記のような問題点にかんがみてなされたものであり、通常は手の届かない引込戸の収納部の内側を掃除できるようにして、メンテナンスを容易にし、長期的にスムーズな開閉を維持することのできる引込戸を提供するものである。
【課題を解決するための手段】
【０００６】
上記した目的を達成するため、本発明は、スライドレールに沿って走行する戸体が、壁の内部または戸袋状の収納部に引き込まれる引込戸において、戸体の下部に引込み方向の奥側と手前側とを連通する吸引経路が設けられ、先端側がスライドレールに面して開口し、後端側が掃除機の吸引ホースを接続可能となされたことを特徴としている。
【０００７】
この構成によれば、吸引経路の後端側に掃除機の吸引ホースを接続して作動させることで、スライドレールに面した吸引経路の先端側からスライドレールにたまった塵埃を吸い取ることができる。これにより、手の届きにくい収納部の内側を容易に掃除することができ、良好な戸体の走行を維持することができる。
【０００８】
また本発明は、上記構成の引込戸において、吸引経路の先端側に、スライドレール上面を摺動する吸引ノズルが接続されたことを特徴としている。これにより、引込戸の開閉動作に伴って、スライドレール上に吸引ノズルを動かすことができ、効率よく塵埃を除去することができる。
【０００９】
吸引経路としては、先端側が戸体の奥側の見込面に開口して設けられ、見込面の外側に吸引ノズルが配設されていることが好ましく、収納部の奥まで掃除することができ、戸体の走行に連動させて吸引ノズルを動かすことができる。
【００１０】
また、掃除機の吸引ホースの接続しやすさや、清掃時の戸体の引出しやすさを考慮すれば、吸引経路の後端側は戸体の手前側の見付面に開口して設けられていてもよい。
【００１１】
さらに、本発明の引込戸は、戸体の四周に框が配設されており、戸体を収納部から引出して閉鎖したときに出会う引込口の側部と戸体の縦框とに、互いに係合して気密を保持する気密部材が高さ方向に配設されていることが好ましい。
【００１２】
この構成によると、戸体の内外で空気の流出入や、湿気の流入を防ぐことができ、屋外への出入口や浴室等への出入口にも好適に実施することができる。
【発明の効果】
【００１３】
上述のように構成される本発明の引込戸によれば、通常は手の届かない引込戸の収納部の内側を容易に掃除できるようになる。これにより、引込戸のメンテナンスが格段にしやすくなり、定期的に掃除を行うことができるのでスムーズな開閉状態を維持することができる。
【００１４】
また、本発明の引込戸は、戸体を収納部から引出して閉鎖したときに出会う引込口の側部と戸体の縦框とに気密部材を配設したので、引込戸の内外で気密性を確保することができる。
【発明を実施するための最良の形態】
【００１５】
以下、本発明に係る引込戸を実施するための最良の形態について、図面を参照しつつ説明する。
【００１６】
図１〜図４は本発明に係る引込戸の一例を示し、図１は引込戸の正面図、図２は引込戸の横断面図、図３は引込戸の戸体下部を示す説明図、図４は戸体下部の見込面を示す側面図、図５は収納部の清掃時を示す戸体下部の説明図、図６は清掃時の引込戸の正面図である。
【００１７】
例示の形態において、建物の外壁４には開口部４１が設けられ、この開口部４１に開口部枠４２が設置されている。引込戸１の戸体２は、この開口部枠４２の内側に建て込まれて開口部４１を開閉可能とするものである。
【００１８】
上下の開口部枠４２にはスライドレール４３が備えられており、このスライドレール４３に沿って戸体２が走行するように構成されている。戸体２はその四周に、上下框２１，２２および左右の縦框２３，２３がそれぞれ配設され、その内側に面材（ガラス）２４が嵌め込まれている。戸体２の手前側の縦框２３には開閉操作用の取手２３１が設けられている。下框２２には、戸体２をスライドレール４３に沿ってスムーズ開閉させる戸車２２１が備えられている。
【００１９】
また、開口部４１の側部の壁内部には収納部４４が形成されている。この収納部４４は、戸体２をスライドレール４３に沿って引込んでその全体を収納し、また引出すことができる大きさに形成されている。収納部４４の奥部には戸当り４５が配設されている。
【００２０】
かかる戸体２の下框２２には、引込み方向の奥側と手前側とを連通する吸引経路３が設けられている。この吸引経路３は、例えば樹脂製のホースやパイプ等を連通させて形成されている。例示の形態では、左右の縦框２３，２３の下部、および下框２２に連通して設けられたホース挿通空間２５に、可撓性を有する蛇腹状の吸引ホース３１が通されて経路が確保されている。
【００２１】
この吸引ホース３１は、戸体２の奥側の見込面に開口して配設され、見込面の外側に、先端部がスライドレール４３に面した吸引ノズル３２が装着されている。例示の形態では、吸引ノズル３２には、ノズル先端部に刷毛状のブラシ３２２が備えられており、戸体２の走行に連動してスライドレール４３の上面を摺動するように構成されている。この吸引ノズルは、先端部のブラシ３２２が回転するような機構のものであってもよい。
【００２２】
また、吸引ホース３１の後端側は、戸体２の縦框２３下部の見込面に開口するように配設されている。この吸引ホース３１の後端側には、掃除機等の適宜の吸引装置から延びるホース５を接続することのできる差込口３３が形成されている。差込口３３には、開閉自在なシャッター３３１が内装されており、例示するような円筒状の接続アダプター５１を差込口３３に差し込むことで差込口３３が開放されるように構成されている。そして、この接続アダプター５１に対して掃除機のホース５を接続して、吸引経路３に吸引力を生じさせられるようになっている。
【００２３】
また、このようにホース挿通空間２５に通す吸引ホース３１を可撓性のあるものとすることで、戸体２に挿通空間２５を設けた後に吸引ホース３１を挿し通しやすくし、吸引経路３を形成しやすくすることができる。なお、吸引ホース３１は例示のような蛇腹状のホースに限らず、直円筒状のホースやパイプ等が使用されてもよい。
【００２４】
かかる吸引ホース３１の後端側は、戸体２の下部の見付面に開口して設けられていてもよい。より好ましくは、手前側の縦框２３に開口して設けられる。この場合、吸引ホース３１の差込口３３に掃除機のホース５を接続しやすくなり、戸体２と開口部枠４２との間にホース５が挟まることがないので、戸体２を完全に閉鎖した状態でも使用することができる。
【００２５】
さらに、引込み方向奥側の縦框２３には、戸体２を収納部４４から引出して開口部４１を閉鎖したときに出会う引込口４４１の側部との間に、互いに係合して気密を保持する気密部材２６が高さ方向に配設されている。図２に示すように、気密部材２６は、横断面が略Ｌ字状に形成されて、縦框２３の見付面に突設されている。また、引込口４４１の側部、すなわち例示の形態における室外側の開口部枠４２の内側面にも、横断面が略Ｌ字状の気密部材４２１が突設されている。
【００２６】
これらの気密部材２６，４２１は、戸体２を閉鎖したときに互いに係合して開口部４１を密閉することができる。これにより、戸体２の室内側と室外側とで空気の流出入や、湿気の流入を防ぐことができるようになされている。
【００２７】
このように引込戸１が構成されることで、差込口３３に掃除機のホース５を接続して作動させれば、吸引経路３（吸引ホース３１）内に吸引力を生じ、収納部４４の内側に配設されているスライドレール４３上の塵埃を、吸引ノズル３２から吸い取ることができるようになる。そして、戸体２をスライドレール４３に沿って走行させながら掃除機を作動させるようにすれば、吸引ノズル３２がスライドレール４３上を摺動して塵埃をくまなく吸い取り、通常は手の届かない収納部４４の奥部まで簡単に掃除することが可能になる。
【００２８】
なお、本発明の引込戸１における戸体２の開閉形式は、前記したような片引き式だけでなく、開口部の両側部に収納部が設けられた引き分け式であっても、好適に実施することができ、外壁面に設けられた開口部だけでなく、屋内に設けられるどのような出入口にも適用することができる。
【産業上の利用可能性】
【００２９】
この発明は、出入口を開閉する引戸で戸袋状の収納部に対して引込み及び引出し自在に収納される引込戸に好適であり、収納部の内側を容易に掃除するのに利用することができる。
【図面の簡単な説明】
【００３０】
【図１】本発明に係る引込戸の一例を示す正面図である。
【図２】前記引込戸の横断面図である。
【図３】前記引込戸の戸体下部の見付面を示す説明図である。
【図４】前記引込戸の戸体下部の見込面を示す側面図である。
【図５】前記引込戸において収納部の清掃時における戸体下部を示す説明図である。
【図６】前記引込戸において収納部の清掃時を示す正面図である。
【符号の説明】
【００３１】
１    引込戸
２    戸体
２１  上框
２２  下框
２３  縦框
２６  気密部材
３    吸引経路
３１  吸引ホース
３２  吸引ノズル
３３  差込口
４    外壁面
４１  開口部
４２  開口部枠
４２１  気密部材
４３  スライドレール
４４  収納部
４４１  引込口
５    吸引ホース（掃除機）
【図１】
2006342610.tif 000003
【図２】
2006342610.tif 000004
【図３】
2006342610.tif 000005
【図４】
2006342610.tif 000006
【図５】
2006342610.tif 000007
【図６】
2006342610.tif 000008